(57)【要約】【課題】装置の強度を向上し、装置の信頼性，小型化，コストダウンを実現する。【解決手段】被写体の光学像を光電変換することによって画像データを生成し、その生成した画像データを着脱自在な外部メモリ１０１に記録する撮像装置１にて、収容部１０ａが、被写体に光を照射するストロボ部１１と外部メモリ１０１との両者を収容する。【選択図】図２
2006101100.tif 000002
【特許請求の範囲】
【請求項１】
被写体の光学像を光電変換することによって画像データを生成し、前記生成した画像データを着脱自在な記録媒体に記録する撮像装置であって、
前記被写体に光を照射するストロボ部と、
前記ストロボ部と前記記録媒体との両者を収容する収容部と
を有することを特徴とする撮像装置。
【請求項２】
前記ストロボ部は、前記収容部に該ストロボ部を収容する第１位置と、前記第1位置より外方であって前記被写体に光を照射可能な第２位置との間を移動可能に設けられ、
前記収容部は、前記ストロボ部が前記第２位置に移動した状態で前記記録媒体を外部から挿入することにより収容可能に形成されていることを特徴とする請求項１に記載の撮像装置。
【請求項３】
前記ストロボ部は、前記収容部に該ストロボ部が収容される第1位置と、該第1位置より撮像装置の外方であって前記被写体に光を照射可能な第２位置と、前記第２位置より更に外方の第３位置との間を移動可能に設けられ、
前記収容部は、前記ストロボ部が前記第３位置に移動した状態で前記記録媒体を外部から挿入することにより収容可能に形成されていることを特徴とする請求項１に記載の撮像装置。
【請求項４】
前記収容部に収容した前記記録媒体に給電を行う給電手段を備え、
前記ストロボ部が前記第３位置に移動しているまたは移動した際、前記給電手段による給電を停止する制御部を有する請求項３に記載の撮像装置。
【請求項５】
前記収容部は、前記外部から前記ストロボ部を収容する空間を介して前記記録媒体を挿入することにより収納可能に形成されていることを特徴とする請求項１乃至４の何れかに記載の撮像装置。
【請求項６】
前記ストロボ部は、少なくとも前記第１位置と前記第２位置との間を回動またはスライド移動するように設けられている請求項１乃至５の何れかに記載の撮像装置。
【請求項７】
前記画像データに基づく前記被写体画像を表示面に表示可能な表示部と、
前記被写体の光学像を結像可能なレンズを収容するレンズバレルと、を有し、
前記収容部は、前記表示面または前記レンズバレルに近接するように前記記録媒体を収容可能に形成されていることを特徴とする請求項１乃至６の何れかに記載の撮像装置。
【請求項８】
前記ストロボ部は、前記記録媒体を収容する記録媒体収容部を有すると共に、前記収容部に該ストロボ部を収容可能な第１位置と、該第1位置より撮像装置の外方であって前記被写体に光を照射可能な第２位置と、前記第２位置よりも更に外方の第３位置との間を移動可能に設けられ、
前記記録媒体収容部は、前記ストロボ部が前記第３位置に移動した状態で前記記録媒体を外部から収容可能に形成され、
前記収容部は、前記ストロボ部が少なくとも前記第１位置に移動した状態で前記記録媒体及び前記ストロボ部を収容可能に形成された請求項１に記載の撮像装置。
【請求項９】
前記収容部に収容した前記記録媒体に給電を行う給電手段を備え、
前記ストロボ部が前記第3位置に移動しているまたは移動した際、前記給電手段による給電を停止する制御部を有する請求項８に記載の撮像装置。
【発明の詳細な説明】
【技術分野】
【０００１】
本発明は撮像装置に関し、特に、被写体の光学像を光電変換することによって画像データを生成し、その生成した画像データを着脱自在な記録媒体に記録する撮像装置に関する。
【背景技術】
【０００２】
デジタルスチルカメラなどに代表される撮像装置は、被写体の光学像をＣＣＤセンサなどの光電変換素子に結像し、その光電変換素子が光電変換することにより得られる画像データを着脱自在な記録媒体に記録する。
【０００３】
このような撮像装置において、記録媒体は、たとえば、ファインダユニットの下側や、電池収容部に収容される（たとえば、特許文献１参照）。そして、記録媒体を着脱する際には、回路的処理が実施される（たとえば、特許文献２，特許文献３参照）。
【０００４】
また、上記のような撮像装置においては、被写体に光を照射するストロボ部が設けられている。
【０００５】
ストロボ部においては、レンズ鏡筒から離して被写体への光のケラレを防止することと、小型化とを実現するために、未使用時には本体の収容部に収容され、使用時には被写体に光を照射する位置に移動する方式が採用されている。たとえば、ストロボ部は、本体から起き上がるように回動して撮影時の位置に移動するものが知られている。そして、そのストロボ部を収容する収容部には、たとえば、表示部が、ストロボ部の回動に対して連動または非連動でストロボ部と共に収容される。
【０００６】
また、その他に、着脱自在な記録媒体が可動する空間に、ストロボ部が収納されるものが知られている。ここでは、その空間に記録媒体が収容されている際には、ストロボ部がその空間に収容不能になっている。
【特許文献１】特開平３−２３８９７７号公報
【特許文献２】特開昭６４−８２１９３号公報
【特許文献３】特開平３−２３７５８４号公報
【発明の開示】
【発明が解決しようとする課題】
【０００７】
上記に示したように、撮像装置は、ストロボ部や記録媒体などの部材を収容する収容部が複数設けられている。
【０００８】
このため、収容部へ収容するための開口や空間が多くなり、装置の強度が弱くなって信頼性を損ねる場合があった。また、このために、容易に小型化することができない場合や、コストアップが生ずる場合があった。
【０００９】
したがって、本発明の目的は、装置の強度を向上し、装置の信頼性，小型化，コストダウンを実現することが可能な撮像装置を提供することにある。
【課題を解決するための手段】
【００１０】
上記の目的を達成するために本発明の観点は、被写体の光学像を光電変換することによって画像データを生成し、前記生成した画像データを着脱自在な記録媒体に記録する撮像装置であって、前記被写体に光を照射するストロボ部と、前記ストロボ部と前記記録媒体との両者を収容する収容部とを有する。
【００１１】
好適には、前記ストロボ部は、前記収容部に該ストロボ部を収容する第１位置と、前記第1位置より外方であって前記被写体に光を照射可能な第２位置との間を移動可能に設けられ、前記収容部は、前記ストロボ部が前記第２位置に移動した状態で前記記録媒体を外部から挿入することにより収容可能に形成されている。
【００１２】
好適には、前記ストロボ部は、前記収容部に該ストロボ部が収容される第1位置と、該第1位置より撮像装置の外方であって前記被写体に光を照射可能な第2位置と、前記第2位置より更に外方の第3位置との間を移動可能に設けられ、前記収容部は、前記ストロボ部が前記第3位置に移動した状態で前記記録媒体を外部から挿入することにより収容可能に形成されている。
【００１３】
好適には、前記収容部に収容した前記記録媒体に給電を行う給電手段を備え、前記ストロボ部が前記第3位置に移動しているまたは移動した際、前記給電手段による給電を停止する制御部を有する。
【００１４】
好適には、前記収容部は、前記外部から前記ストロボ部を収容する空間を介して前記記録媒体を挿入することにより収納可能に形成されている。
【００１５】
好適には、前記ストロボ部は、少なくとも前記第１位置と前記第２位置との間を回動またはスライド移動するように設けられている。
【００１６】
好適には、前記画像データに基づく前記被写体画像を表示面に表示可能な表示部と、前記被写体の光学像を結像可能なレンズを収容するレンズバレルと、を有し、前記収容部は、前記表示面または前記レンズバレルに近接するように前記記録媒体を収容可能に形成されている。
【００１７】
好適には、前記ストロボ部は、前記記録媒体を収容する記録媒体収容部を有すると共に、前記収容部に該ストロボ部を収容可能な第１位置と、該第1位置より撮像装置の外方であって前記被写体に光を照射可能な第２位置と、前記第２位置よりも更に外方の第３位置との間を移動するように設けられ、前記記録媒体収容部は、前記ストロボ部が前記第３位置に移動した状態で前記記録媒体を外部から収容可能に形成され、前記収容部は、前記ストロボ部が少なくとも前記第１位置に移動した状態で前記記録媒体及び前記ストロボ部を収容可能に形成されている。
【００１８】
好適には、前記収容部に収容した前記記録媒体に給電を行う給電手段を備え、前記ストロボド部が前記第3位置に移動しているまたは移動した際、前記給電手段による給電を停止する制御部を有する。
【発明の効果】
【００１９】
本発明によれば、装置の強度を向上し、装置の信頼性，小型化，コストダウンを実現することが可能な撮像装置を提供することができる。
【発明を実施するための最良の形態】
【００２０】
以下より、本発明にかかる実施形態について説明する。
【００２１】
＜実施形態１＞
図１と図２は、本発明にかかる実施形態１の撮像装置１を示す図である。ここで、図１は、本実施形態の撮像装置１についての要部の構成を示すブロック図であり、図２は、本実施形態の撮像装置１の斜視図である。
【００２２】
図１に示すように、本実施形態の撮像装置１は、デジタルスチルカメラであり、撮像装置本体１０と、ストロボ部１１と、光学レンズ部２１と、撮像部２２と、画像処理部２３と、外部メモリ接続部２４と、制御部４１と、電源部５１と、操作入力部６１と、表示部７１とを有する。本実施形態の撮像装置１は、被写体の光学像を光電変換することによって画像データを生成し、その生成した画像データを着脱自在な板状の外部メモリ１０１に記録する。
【００２３】
各部について、順次、説明する。
【００２４】
撮像装置本体１０は、図２に示すように、たとえば、箱形状であり、ストロボ部１１と光学レンズ部２１とが外部に設置されている。そして、撮像装置本体１０には、ストロボ部１１と外部メモリ１０１との両者を撮像装置本体１０の外部から収容する収容部１０ａが凹形状で形成されている。そして、撮像装置本体１０は、その他に、操作入力部６１と表示部７１とが光学レンズ部２１に対して反対側の面の外部に設置されており、撮像部２２と画像処理部２３と外部メモリ接続部２４と制御部４１と電源部５１とを内部に収容する。
【００２５】
図３は、本実施形態の撮像装置１においてストロボ部１１と外部メモリ１０１とが収容部１０ａに収容された様子を示す斜視図である。
【００２６】
撮像装置本体１０は、図３に示すようにストロボ部１１を収容部１０ａに収容する第１位置と、図２に示すように第1位置より外方であってストロボ部１１が被写体に光を照射する第２位置との間を移動可能なようにストロボ部１１を支持している。そして、撮像装置本体１０は、図２に示すようにストロボ部１１が第２位置に移動した状態で外部メモリ１０１を外部から挿入することにより収容可能なように収容部１０ａが形成されている。
【００２７】
そして、収容部１０ａは、被写体へ光を照射しないようにストロボ部１１を収容すると共に、図１に示すように、画像処理部２３が生成する画像データを、外部メモリ接続部２４を介して記録するように外部メモリ１０１を収容する。ここでは、収容部１０ａは、たとえば、図２に示すように、板状のフラッシュメモリである外部メモリ１０１を、ストロボ部１１を収容する空間を介して収容可能なように形成されている。
【００２８】
図４は、ストロボ部１１と外部メモリ１０１とを収容部１０ａが収容する様子を示す図である。ここで、図４において、図４（Ａ）は、上面図を示し、図４（Ｂ）は側面図を示している。
【００２９】
図４に示すように、収容部１０ａは、被写体の光学像を結像するレンズ２１ｂを収容し支持するレンズバレル２１ａの側面に近接するように、外部メモリ１０１を収容する。そして、収容部１０ａは、ストロボ収容部１０ｂとしての空間にストロボ部１１を収容すると共に、外部メモリ収容部１０ｃとしての空間に外部メモリ１０１を収容する。収容部１０ａは、そのストロボ収容部１０ｂとしての空間を介して、外部メモリ１０１が外部から挿入されることによって収容可能なように、外部メモリ収容部１０ｃとしての空間が形成されている。
【００３０】
ストロボ部１１は、被写体に光を照射するために撮像装置本体１０の上面に設けられている。ストロボ部１１は、たとえば、キセノン放電管などの発光部３０１と、その発光部を覆うストロボカバー部３０２とを有する。そして、ストロボ部１１は、収容部１０ａに該ストロボ部１１を収容する第１位置と、第1位置より外方であって被写体に光を照射可能な第２位置との間を移動可能に設けられている。つまり、ストロボ部１１は、前述の図３のように撮像装置本体１０の収容部１０ａに収容される第１位置に移動すると共に、図２のように発光部３０１から被写体に光を照射する第２位置との間を移動するように、撮像装置本体１０に設けられている。そして、ストロボ部１１は、図２に示すように、撮像装置本体１０にカバー部３０２の一端が係合され、その一端を軸にして第１位置と第２位置との間を回転して移動するように設けられており、第１位置と第２位置とのそれぞれで撮像装置本体１０にラッチされて固定される。ストロボ部１１は、図３に示すように、第１位置では撮像装置本体１０とカバー部３０２とが一体になるように収容部１０ａに収容される。そして、ストロボ部１１は、図２に示すように、第２位置では光学レンズ部２１の鏡筒から離れてケラレを防止するように撮像装置本体１０に対して突き出ている。
【００３１】
光学レンズ部２１は、撮像装置本体１０の前面側に設けられ、レンズバレル２１ａ、光学レンズ２１ｂなどを有する。レンズバレル２１ａは、たとえば、円筒形状であり、撮像装置本体１０の内部から外部へ突き出るように設けられ、被写体の光学像を結像可能な光学レンズ２１ｂや絞り（図示なし）などを収容し支持する。光学レンズ２１ｂは、たとえば、複数のレンズからなる変倍機構を備え、被写体からの光学像を撮像部２２に結像する。そして、絞りは、光学レンズ２１ｂからの光の量を調整するように設けられている。
【００３２】
撮像部２２は、撮像装置本体１０の内部に設けられ、光学レンズ部２１からの被写体の光学像を受けて光電変換し、電気信号を生成する。撮像部２２は、たとえば、カラーフィルタ（図示なし）と、ＣＣＤ（Ｃｈａｒｇｅ  Ｃｏｕｐｌｅｄ  Ｄｅｖｉｃｅ）センサ（図示なし）と、ＣＤＳ（Ｃｏｒｒｅｌａｔｅｄ  Ｄｏｕｂｌｅ  ｓａｍｐｌｉｎｇ）回路（図示なし）、Ａ／Ｄ変換器（図示なし）とを有する。撮像部２２は、光学レンズ部２１からの光を、カラーフィルタを介してＣＣＤセンサが受け、その光をＣＣＤセンサが光電変換して電気信号を生成する。そして、そのＣＣＤセンサからの電気信号をＣＤＳ回路がアナログ信号としてサンプリングし、ＣＣＤＳ回路からのアナログ信号をＡ／Ｄ変換器が変換してデジタル信号を生成する。そして、撮像部２２は、そのデジタル信号を画像処理部２３に出力する。
【００３３】
画像処理部２３は、撮像装置本体１０の内部に設けられ、撮像部２２からのデジタル信号に対して所定の画像処理を実施する。画像処理部２３は、たとえば、コンピュータにより構成されており、外部メモリ接続部２４を介して被写体の画像データを外部メモリ１０１に出力する。
【００３４】
外部メモリ接続部２４は、撮像装置本体１０の内部に設けられ、外部メモリ１０１に接続する端子を有する。外部メモリ接続部２４は、収容部１０ａに収容される外部メモリ１０１に接続する。そして、外部メモリ接続部２４は、画像処理部２３からの画像データを外部メモリ１０１に出力する。
【００３５】
制御部４１は、撮像装置本体１０の内部に設けられ、ストロボ部１１と光学レンズ部２１と撮像部２２と画像処理部２３と外部メモリ接続部２４と電源部５１と操作入力部６１と表示部７１とのそれぞれに接続されている。制御部４１は、たとえば、コンピュータにより構成されており、操作入力部６１に入力されるオペレータの指令を受けると共に、電源部５１から電力が供給される。そして、制御部４１は、操作入力部６１に入力されるオペレータの指令に基づいて、各部を制御する。たとえば、制御部４１は、被写体を撮像する指令が操作入力部６１に入力された際には、ストロボ部１１と光学レンズ部２１と撮像部２２と画像処理部２３とを制御して被写体の光学像を撮像し、外部メモリ接続部２４を介して外部メモリ１０１に、撮像した被写体の画像データを記録する。また、たとえば、表示部７１に被写体の画像を表示する指令が操作入力部６１に入力された際には、外部メモリ１０１から外部メモリ接続部２４を介して被写体の画像データを受け、表示部７１の表示面に画像を表示する。
【００３６】
電源部５１は、撮像装置本体１０の内部に設けられ、たとえば、２次電池を収容し、その２次電池からの電力を各部に制御部４１を介して供給する。たとえば、電源部５１は、収容部１０ａに収容された外部メモリ１０１に給電を行う。
【００３７】
操作入力部６１は、撮像装置本体１０に設けられ、たとえば、操作ボタンなどの操作デバイスにより構成されている。操作入力部６１は、制御部４１に接続されており、オペレータにより入力された指令を制御部４１に供給する。たとえば、操作入力部６１は、被写体を撮像する動作を開始する指令を制御部４１に供給する。
【００３８】
表示部７１は、画像データに基づく被写体の画像を表示面に表示可能なように、撮像装置本体１０に設けられている。表示部７１は、たとえば、液晶パネルを含み、たとえば、光学レンズ部２１に対して反対側の面に液晶パネルが設置されている。表示部７１は、たとえば、外部メモリ接続部２４を介して外部メモリ１０１から被写体の画像データを受け、表示面に画像を表示する。また、たとえば、表示部７１は、オペレータが操作入力部６１に入力する操作をガイドするための操作画像を表示する。また、表示部７１は、たとえば、被写体を撮像する際に、被写体の画像をリアルタイムに表示し、ファインダとして機能するように構成されている。
【００３９】
以上のように、本実施形態の撮像装置１は、収容部１０ａがストロボ部１１と外部メモリ１０１との両者を一緒に収容する。このため、本実施形態は、ストロボ部１１と外部メモリ１０１とを収容するための開口や空間を減らすことができ、装置の強度を高め、信頼性を向上することができる。その結果、本実施形態は、装置を容易に小型化することができ、コストダウンを実現することができる。
【００４０】
また、本実施形態の撮像装置１においては、ストロボ部１１は、収容部１０ａに収容される第１位置と、被写体に光を照射する第２位置との間を移動可能なように設けられている。そして、収容部１０ａは、ストロボ部１１がその第２位置に移動した状態で外部メモリ１０１を外部から内部に挿入されて、そのストロボ部１１を収容する。また、本実施形態の撮像装置１においては、収容部１０ａは、ストロボ部１１を収容する空間を介して、外部メモリ１０１を収容する。そして、収容部１０ａは、被写体の光学像を結像するレンズ２１ｂを収容し支持するレンズバレル２１ａの側面に近接するように、外部メモリ１０１を収容する。このため、本実施形態は、上記のように、ストロボ部１１と外部メモリ１０１とを収容するための開口や空間を減らし、装置の強度を高めて信頼性を向上することができると共に、ストロボ部１１を光学レンズ部２１から離して被写体への光のケラレを防止することと、小型化とを両立することができる。
【００４１】
なお、本実施形態において撮像装置１は、本発明の撮像装置に相当する。また、本実施形態の収容部１０ａは、本発明の収容部に相当する。また、本実施形態のストロボ部１１は、本発明のストロボ部に相当する。また、本実施形態のレンズバレル２１ａは、本発明のレンズバレルに相当する。また、本実施形態の外部メモリ１０１は、本発明の記録媒体に相当する。
【００４２】
＜実施形態２＞
以下より、本発明にかかる実施形態２について説明する。
【００４３】
図５は、本発明にかかる実施形態２の撮像装置１ｂを示す斜視図である。図５において、図５（Ａ）は、ストロボ部１１が第１位置に移動している様子を示している。そして、図５（Ｂ）は、ストロボ部１１が第２位置に移動している様子を示している。そして、図５（Ｃ）は、ストロボ部１１が第３位置に移動している様子を示している。
【００４４】
図５に示すように、本実施形態の撮像装置１ｂは、実施形態１のストロボ部１１と異なり、ストロボ部１１ｂが第１位置と第２位置と第３位置とのそれぞれの間を移動する。そして、第３位置にストロボ部１１ｂが移動している際に制御部４１が所定の動作を実施する。これらの点を除き、本実施形態の撮像装置１ｂは、実施形態１の撮像装置１と同様である。このため、重複する箇所には同一の符号を付し、説明を省略する。
【００４５】
各部について、順次、説明する。
【００４６】
本実施形態のストロボ部１１ｂは、収容部１０ａに収容される第1位置と、その第1位置より撮像装置本体１０の外方であって被写体に光を照射可能な第2位置と、その第2位置より更に外方の第3位置との間を移動可能に設けられている。つまり、ストロボ部１１ｂは、図５（Ａ）に示すように、被写体に光を照射しないように収容部１０ａに収容される第１位置に移動すると共に、図５（Ｂ）に示すように、被写体に光を照射する第２位置に移動し、さらに、図５（Ｃ）に示すように、第２位置から第１位置の反対側に位置する第３位置に移動する。
【００４７】
そして、収容部１０ａは、ストロボ部１１ｂが第3位置に移動した状態で外部メモリ１０１を外部から挿入することにより収容可能になるように形成されている。つまり、収容部１０ａは、図５（Ｃ）に示すように、ストロボ部１１ｂが第３位置に移動した状態で外部メモリ１０１を外部から内部へ収容する。
【００４８】
そして、ストロボ部１１ｂが第3位置に移動しているまたは移動した際には、電源部５１からの給電を制御部４１が停止する。つまり、図５（Ｃ）に示すように、収容部１０ａが外部メモリ１０１を収容し、第３位置にストロボ部１１ｂが移動している、または、移動した際には、制御部４１は、その外部メモリ１０１への給電を停止するように制御する。
【００４９】
図６と図７とは、ストロボ部１１ｂに位置と、制御部４１の動作との関係を説明するための図である。図６において、図６（Ａ）は、ストロボ部１１が第２位置に移動している様子を示しており、図６（Ｂ）は、ストロボ部１１が第３位置に移動している様子を示している。また、図７は、制御部４１の回路構成の一部とその動作とを示している。
【００５０】
図６に示すように、収容部１０ａには、ストロボ部１１ｂに位置を検知するセンサ２０１が形成されている。収容部１０ａに設置されたセンサ２０１が、図６（Ａ）のように、ストロボ部１１ｂが第２位置に移動している情報や、図６（Ｂ）に示すように、ストロボ部１１ｂが第３位置に移動している情報などを制御部４１に出力する。そして、図６（Ｂ）に示すようにストロボ部１１が第３位置に移動している際に、図７に示すように、制御部４１は、ストロボ部１１が第３位置に移動している情報をセンサ２０１から制御部４１のスイッチング回路４３が受ける。そして、電源部５１から制御部４１のトライステート回路４２とスイッチング回路４３とを介して外部メモリ１０１へ給電することを停止するように、制御部４１のスイッチング回路４３が切り替えを実施する。
【００５１】
以上のように、本実施形態の撮像装置１ｂは、ストロボ部１１ｂが第３位置に移動した状態で外部メモリ１０１を外部から内部へ収容するように収容部１０ａが形成されている。このため、本実施形態は、実施形態１と同様に、装置の強度を高めて信頼性を向上することができると共に、外部メモリ１０１を容易に収容部１０ａは収容することができ、操作性を向上することができる。また、本実施形態の撮像装置１ｂは、第３位置にストロボ部１１ｂが移動する際に、外部メモリ１０１への給電を停止するように、制御部４１が制御する。このため、本実施形態は、上記の効果のほか、外部メモリ１０１の着脱動作を高い信頼性で実施することができる。
【００５２】
なお、本実施形態において撮像装置１ｂは、本発明の撮像装置に相当する。また、本実施形態の収容部１０ａは、本発明の収容部に相当する。また、本実施形態のストロボ部１１ｂは、本発明のストロボ部に相当する。また、本実施形態の制御部４１は、本発明の制御部に相当する。また、本実施形態の電源部５１は、本発明の給電手段に相当する。
【００５３】
＜実施形態３＞
以下より、本発明にかかる実施形態３について説明する。
【００５４】
図８は、本発明にかかる実施形態３の撮像装置１ｃにおいて、収容部１０ａが外部メモリ１０１を収容する様子を示す図である。ここで、図８において、図８（Ａ）は、上面図を示し、図８（Ｂ）は側面図を示している。
【００５５】
図８に示すように、本実施形態の撮像装置１ｃは、収容部１０ａが外部メモリ１０１を収容する位置が、実施形態１と異なっている。この点を除き、本実施形態の撮像装置１ｃは、実施形態１の撮像装置１と同様である。このため、重複する箇所には同一の符号を付し、説明を省略する。
【００５６】
本実施形態においては、収容部１０ａは、図８に示すように、表示部７１の表示面に近接するように、外部メモリ１０１を収容する。ここでは、表示部７１の液晶パネルの面と、板状の外部メモリ１０１の面とを対面して収容するように収容部１０ａの外部メモリ収容部１０ｃが形成されており、その外部メモリ収容部１０ｃが外部メモリ１０１を収容する。
【００５７】
以上のように、本実施形態の撮像装置１ｃは、表示部７１の表示面に近接するように、収容部１０ａが板状の外部メモリ１０１を収容する。このため、本実施形態は、外部メモリ１０１を効率良く収容することができるため、装置の強度を高めて信頼性を向上することができる。
【００５８】
なお、本実施形態において撮像装置１ｃは、本発明の撮像装置に相当する。また、本実施形態の収容部１０ａは、本発明の収容部に相当する。また、本実施形態の表示部７１は、本発明の表示部に相当する。
【００５９】
＜実施形態４＞
以下より、本発明にかかる実施形態４について説明する。
【００６０】
図９は、本発明にかかる実施形態４の撮像装置１ｄを示す斜視図である。図９において、図９（Ａ）は、ストロボ部１１ｄが第１位置に移動している様子を示している。そして、図９（Ｂ）は、ストロボ部１１ｄが第２位置に移動している様子を示している。そして、図９（Ｃ）は、ストロボ部１１ｄが第３位置に移動している様子を示している。
【００６１】
図９に示すように、本実施形態の撮像装置１ｄは、実施形態１のストロボ部１１ｂと異なり、ストロボ部１１ｄの構成が異なっている。この点を除き、本実施形態の撮像装置１ｄは、実施形態２の撮像装置１ｂと同様である。このため、重複する箇所には同一の符号を付し、説明を省略する。
【００６２】
本実施形態において、ストロボ部１１ｄは、ポップアップ方式として構成されており、スライド移動するように撮像装置本体１０の上面に設けられている。ストロボ部１１ｄは、たとえば、キセノン放電管などで構成され、光を発光する発光部３０１ａと、その発光部３０１ａを収容するストロボ本体部３０２ａとを有する。そして、ストロボ部１１ｄは、図９（Ａ）に示すように、第１位置に移動した状態で、外部メモリ１０１と共に収容部１０ａに収容される。
【００６３】
図１０は、本実施形態においてストロボ部１０ｄが第１位置に移動し、外部メモリ１０１と共に、収容部１０ａに収容されている様子を示す図である。図１０において、図１０（Ａ）は、図９において光学レンズ部２１が設けられている正面側に対して反対になる裏面側から収容部１０ａを見た図である。そして、図１０（Ｂ）は、側面側から見た図である。
【００６４】
図１０に示すように、ストロボ部１１ｄは、第１位置に移動し、撮像装置本体１０と一体になるように収容部１０ａの空間に収容される。そして、図１０（Ｂ）に示すように、ストロボ部１１ｄのストロボ本体部３０２ａには外部メモリ収容部１０ｃが凹形状で形成されており、その外部メモリ収容部１０ｃの空間に外部メモリ１０１を収容する。そして、ストロボ部１１ｄが第１位置に移動して収容部１０ａに収容されている場合に、外部メモリ収容部１０ｃに収容された外部メモリ１０１が収容部１０ａに収容される。
【００６５】
そして、図９（Ｂ）に示すように、ストロボ部１１ｄは、前述の第１位置より撮像装置本体１０の外方の第２位置に移動する。ここでは、ストロボ部１１ｄは、発光部３０１ａから被写体に光を照射するように、第１位置から第２位置に直線的にスライドして移動する。そして、撮像装置本体１０の上面から垂直方向に突き出るようにストロボ部１１ｄが第２位置へ移動しラッチされる。
【００６６】
また、図９（Ｃ）のように、第２位置より更に外方の第３位置に移動する。ここでは、ストロボ部１１ｄは、第２位置から第１位置の反対側に位置する第３位置にスライドして移動する。そして、第１位置から第２位置への移動と同様に、第２位置から垂直方向へさらに突き出るようにストロボ部１１ｄが第３位置へ移動しラッチされる。また、ストロボ部１１ｄは、第３位置に移動した状態では、ストロボ部１１ｄの外部メモリ収容部１０ｃが外部空間に露出されるようになっており、外部から外部メモリ１０１を外部メモリ収容部１０ｃへ収容する。そして、外部メモリ接続部２４の端子に、外部メモリ１０１が接続される。また、実施形態２と同様に、外部メモリ収容部１０ｃが外部メモリ１０１を収容し、ストロボ部１１ｄが第３位置に移動する際には、外部メモリ接続部２４から外部メモリ１０１への給電を停止するように、制御部４１が制御する。
【００６７】
以上のように、本実施形態の撮像装置１ｄは、外部メモリ１０１を収容する外部メモリ収容部１０ｃをストロボ部１１ｄが有する。そして、ストロボ部１１ｄが第３位置に移動した状態で、ストロボ部１１ｄの外部メモリ収容部１０ｃは外部メモリ１０１を外部から収容可能なように形成されている。そして、ストロボ部１１ｄが第１位置に移動した状態で、外部メモリ１０１とストロボ部１１ｄとの両者を収容部１０ａが収容可能なように形成されている。このため、本実施形態は、ストロボ部１１ｄと外部メモリ１０１とを収容するための開口や空間を減らすことができ、装置の強度を高め、信頼性を向上することができる。その結果、本実施形態は、装置を容易に小型化することができ、コストダウンを実現することができる。
【００６８】
なお、本実施形態において撮像装置１ｄは、本発明の撮像装置に相当する。また、本実施形態のストロボ部１１ｄは、本発明のストロボ部に相当する。また、本実施形態の制御部４１は、本発明の制御部に相当する。また、本実施形態の外部メモリ収容部１０ｃは、本発明の記録媒体収容部に相当する。
【図面の簡単な説明】
【００６９】
【図１】図１は、本発明にかかる実施形態１の撮像装置の構成を示すブロック図である。
【図２】図２は、本発明にかかる実施形態１の撮像装置の斜視図である。
【図３】図３は、本発明にかかる実施形態１の撮像装置において、ストロボ部と外部メモリとが収容部に収容された様子を示す斜視図である。
【図４】図４は、本発明にかかる実施形態１の撮像装置において、ストロボ部と外部メモリとを収容部が収容する様子を示す図である。ここで、図４（Ａ）は、上面図を示し、図４（Ｂ）は側面図を示す。
【図５】図５は、本発明にかかる実施形態２の撮像装置を示す斜視図である。ここで、図５（Ａ）は、ストロボ部１１が第１位置に移動している様子を示している。そして、図５（Ｂ）は、ストロボ部１１が第２位置に移動している様子を示している。そして、図５（Ｃ）は、ストロボ部１１が第３位置に移動している様子を示している。
【図６】図６は、本発明にかかる実施形態２の撮像装置において、ストロボ部に位置と、制御部の動作との関係を説明するための図である。ここで、図６（Ａ）は、ストロボ部１１が第２位置に移動している様子を示しており、図６（Ｂ）は、ストロボ部１１が第３位置に移動している様子を示している。
【図７】図７は、本発明にかかる実施形態２の撮像装置において、制御部の回路構成の一部とその回路の動作とを示す図である。
【図８】図８は、本発明にかかる実施形態３の撮像装置において、収容部が外部メモリを収容する様子を示す図である。ここで、図８（Ａ）は、上面図を示し、図８（Ｂ）は側面図を示している。
【図９】図９は、本発明にかかる実施形態４の撮像装置を示す斜視図である。ここで、図９（Ａ）は、ストロボ部が第１位置に移動している様子を示している。そして、図９（Ｂ）は、ストロボ部が第２位置に移動している様子を示している。そして、図９（Ｃ）は、ストロボ部が第３位置に移動している様子を示している。
【図１０】図１０は、本発明にかかる実施形態４の撮像装置において、ストロボ部１０ｄが第１位置に移動し、外部メモリ１０１と共に、収容部１０ａに収容されている様子を示す図である。図１０において、図１０（Ａ）は、図９において光学レンズ部２１が設けられている正面側に対して反対になる裏面側から収容部１０ａを見た図である。そして、図１０（Ｂ）は、側面側から見た図である。
【符号の説明】
【００７０】
１，１ｂ，１ｃ，１ｄ…撮像装置（撮像装置）、
１０…撮像装置本体、
１０ａ…収容部１０ａ（収容部）、
１１，１１ｂ，１１ｄ…ストロボ部（ストロボ部）、
２１…光学レンズ部、
２１ａ…レンズバレル（レンズバレル）、
２１ｂ…光学レンズ、
２２…撮像部、
２３…画像処理部、
２４…外部メモリ接続部、
４１…制御部（制御部）、
５１…電源部、
６１…操作入力部、
７１…表示部（表示部）、
１０１…外部メモリ（記録媒体）、
１０ｂ…ストロボ収容部、
１０ｃ…外部メモリ収容部（記録媒体収容部）
【図１】
2006101100.tif 000003
【図２】
2006101100.tif 000004
【図３】
2006101100.tif 000005
【図４】
2006101100.tif 000006
【図５】
2006101100.tif 000007
【図６】
2006101100.tif 000008
【図７】
2006101100.tif 000009
【図８】
2006101100.tif 000010
【図９】
2006101100.tif 000011
【図１０】
2006101100.tif 000012